(57)【要約】【課題】フレキシブルディスプレイを備えた変形可能な携帯端末において、携帯端末の形状に応じてより適切な画面表示を行う。【解決手段】携帯端末１０は、タッチパネル１１ａを有した曲げ変形可能なフレキシブルディスプレイ１１を備え、タッチパネル１１ａに対するタッチ位置を検出するタッチ検出部１３と、フレキシブルディスプレイ１１の他面に予め定めたパターン形状で設けられ、タッチ検出部１３によりタッチ位置が検出されるタッチマーカー１２と、タッチ検出部１３により検出されたパターン形状のタッチ位置に基づいて、外部から隠れていると推定されるタッチパネル１１ａ上の領域を示す隠れ領域を算出する隠れ領域算出部１５と、隠れ領域算出部１５により算出された隠れ領域に基づいてフレキシブルディスプレイ１１の画面表示を制御する表示制御部１６と、を備える。【選択図】図２
2014186490.tif 000002
【特許請求の範囲】
【請求項１】
一面に情報を表示する画面を有した曲げ変形可能なフレキシブルディスプレイを備えた携帯端末であって、
前記画面に対するタッチ位置を検出するタッチ検出手段と、
前記フレキシブルディスプレイの他面に予め定めたパターン形状で設けられ、前記画面に接触した際に前記タッチ検出手段によりタッチ位置が検出されるタッチ被検出手段と、
前記タッチ検出手段により検出された前記パターン形状のタッチ位置に基づいて、前記フレキシブルディスプレイの一部同士が重なることにより外部から隠れていると推定される前記画面上の領域を示す隠れ領域を算出する隠れ領域算出手段と、
前記隠れ領域算出手段により算出された前記隠れ領域に基づいて前記フレキシブルディスプレイの画面表示を制御する表示制御手段と、
を備える携帯端末。
【請求項２】
前記タッチ被検出手段が、前記フレキシブルディスプレイの前記他面の一端側に沿って設けられ、
前記隠れ領域算出手段が、前記タッチ検出手段により検出された前記パターン形状のタッチ位置に基づいて、前記隠れ領域と前記画面上の前記隠れ領域以外の領域との境界線を算出し、当該境界線から他端側にある前記画面上の領域を前記隠れ領域として算出する、
請求項１記載の携帯端末。
【請求項３】
前記表示制御手段が、前記隠れ領域の画面表示を非表示にする、
請求項１又は２記載の携帯端末。
【請求項４】
前記表示制御手段が、前記隠れ領域と前記画面上の前記隠れ領域以外の領域との境界を跨いで連続した画像を表示させるように画面表示を制御する、
請求項１〜３のいずれか一項記載の携帯端末。
【請求項５】
前記フレキシブルディスプレイの曲げ変形の度合いを示す曲げ変形量を検出する変形量検出手段を更に備え、
前記隠れ領域算出手段が、前記変形量検出手段により検出された前記曲げ変形量が所定量以上である場合に、前記隠れ領域を算出する、
請求項１〜４のいずれか一項記載の携帯端末。
【請求項６】
一面に情報を表示する画面を有した曲げ変形可能なフレキシブルディスプレイと、前記画面に対するタッチ位置を検出するタッチ検出手段と、前記フレキシブルディスプレイの他面に予め定めたパターン形状で設けられ、前記画面に接触した際に前記タッチ検出手段によりタッチ位置が検出されるタッチ被検出手段と、を備えた携帯端末により実行される画面表示制御方法であって、
前記タッチ検出手段により検出された前記パターン形状のタッチ位置に基づいて、前記フレキシブルディスプレイの一部同士が重なることにより外部から隠れていると推定される前記画面上の領域を示す隠れ領域を算出する隠れ領域算出ステップと、
前記隠れ領域算出ステップにおいて算出された前記隠れ領域に基づいて前記フレキシブルディスプレイの画面表示を制御する表示制御ステップと、
を含む画面表示制御方法。
【発明の詳細な説明】
【技術分野】
【０００１】
本発明は、特に変形可能なフレキシブルディスプレイを備えた携帯端末及び当該携帯端末の画面表示を制御する画面表示制御方法に関する。
【背景技術】
【０００２】
従来、下記特許文献１に示されるように、表示面が外部から視認可能に配置される変形可能なフレキシブルディスプレイと、ボディ部を構成し、フレキシブルディスプレイにおける表示面と反対側の背面側を覆うように配置され、変形可能な筐体とを備える携帯端末が知られている。
【先行技術文献】
【特許文献】
【０００３】
【特許文献１】特開２０１２−１９９６９７号公報
【発明の概要】
【発明が解決しようとする課題】
【０００４】
ところで、このような変形可能なフレキシブルディスプレイを備えた携帯端末の分野においては、より柔軟性を持たせるとともに薄型化することにより折り曲げ及び巻き付け等の変形が可能とされた携帯端末の実用化が検討されている。このような携帯端末では、使用時に、折り曲げたり、腕に巻き付けたりされることにより、ディスプレイ部分に重なりが生じ、ディスプレイの一部が隠れてしまう場合が想定される。このような場合には、ユーザは、ディスプレイの隠れた領域（隠れ領域）の画面表示を見ることができず、表示内容の理解に支障をきたすおそれがある。また、このようにユーザからは見えない隠れ領域に対して、画面表示を行うことは無駄な電力消費である。
【０００５】
本発明は、上記課題に鑑みてなされたものであり、変形可能なフレキシブルディスプレイを備えた携帯端末において、携帯端末の形状に応じてより適切な画面表示を行うことができる携帯端末及び画面表示制御方法を提供することを目的とする。
【課題を解決するための手段】
【０００６】
上記課題の解決のため、本発明に係る携帯端末は、一面に情報を表示する画面を有した曲げ変形可能なフレキシブルディスプレイを備えた携帯端末であって、画面に対するタッチ位置を検出するタッチ検出手段と、フレキシブルディスプレイの他面に予め定めたパターン形状で設けられ、画面に接触した際にタッチ検出手段によりタッチ位置が検出されるタッチ被検出手段と、タッチ検出手段により検出されたパターン形状のタッチ位置に基づいて、フレキシブルディスプレイの一部同士が重なることにより外部から隠れていると推定される画面上の領域を示す隠れ領域を算出する隠れ領域算出手段と、隠れ領域算出手段により算出された隠れ領域に基づいてフレキシブルディスプレイの画面表示を制御する表示制御手段と、を備える。
【０００７】
このような曲げ変形可能なフレキシブルディスプレイを備えた携帯端末においては、例えば、フレキシブルディスプレイが、画面を有する一面側を外側にしてロール状に折り曲げられて、フレキシブルディスプレイの一部同士が重なる場合がある。上記携帯端末では、このような場合に、フレキシブルディスプレイの他面に予め定めたパターン形状で設けられたタッチ被検出手段が、フレキシブルディスプレイの画面上に接触することにより、タッチ検出手段が、パターン形状のタッチ位置を検出する。そして、隠れ領域算出手段が、このように検出されたパターン形状のタッチ位置に基づいて推定される隠れ領域を算出する。これにより、表示制御手段が、当該隠れ領域に基づいて、携帯端末の形状に応じてより適切な画面表示を行うことができる。
【０００８】
また、上記携帯端末では、タッチ被検出手段が、フレキシブルディスプレイの他面の一端側に沿って設けられ、隠れ領域算出手段が、タッチ検出手段により検出されたパターン形状のタッチ位置に基づいて、隠れ領域と画面上の隠れ領域以外の領域との境界線を算出し、当該境界線から他端側にある画面上の領域を隠れ領域として算出してもよい。上記携帯端末では、タッチ被検出手段をフレキシブルディスプレイの他面の一端側に沿って設けているため、タッチ検出手段により検出されたパターン形状のタッチ位置に基づいて、隠れ領域算出手段が、隠れ領域と隠れ領域以外の領域との境界線を算出する。そして、このように算出された境界線に基づいて、隠れ領域算出手段によって簡易かつ精度高く隠れ領域を算出できる。
【０００９】
また、上記携帯端末では、表示制御手段が、隠れ領域の画面表示を非表示にしてもよい。この場合、フレキシブルディスプレイの画面においてユーザからは見えない領域である隠れ領域を非表示にすることにより、隠れ領域の画面表示のための無駄な電力供給を停止することができ、省電力化が図られる。
【００１０】
また、上記携帯端末では、表示制御手段が、隠れ領域と画面上の隠れ領域以外の領域との境界を跨いで連続した画像を表示させるように画面表示を制御してもよい。この場合、隠れ領域と隠れ領域以外の領域との境界を跨いで連続した画像（シームレスな画像）をフレキシブルディスプレイの画面上に表示させることができる。これにより、フレキシブルディスプレイの一部同士に重なりが生じている場合においても、ユーザに対して適切な画面表示を行うことができ、ユーザ利便性の向上が図られる。
【００１１】
また、上記携帯端末は、フレキシブルディスプレイの曲げ変形の度合いを示す曲げ変形量を検出する変形量検出手段を更に備え、隠れ領域算出手段が、変形量検出手段により検出された曲げ変形量が所定量以上である場合に、隠れ領域を算出してもよい。
【００１２】
例えば、フレキシブルディスプレイの一部同士に重なりが生じていないにも関わらず、ユーザによる画面に対するタッチ操作がされた場合に、予め定めたパターン形状のタッチ位置が、タッチ検出手段によって偶然検出される場合があり得る。このような場合には、実際には存在しない隠れ領域が隠れ領域算出手段により算出され、当該隠れ領域に基づいて、表示制御手段によって適切でない画面表示がされてしまうおそれがある。上記携帯端末では、変形量検出手段により所定量以上の曲げ変形量が検出された場合、すなわちフレキシブルディスプレイが一定以上折り曲げられていることが検出された場合に、隠れ領域算出手段が隠れ領域を算出する。これにより、実際には存在しない隠れ領域が算出され、当該隠れ領域に基づいて適切でない画面表示がされてしまうことを抑制できる。
【００１３】
ところで、本発明は、上記のように携帯端末の発明として記述できる他に、以下のように上記携帯端末により実行される画面表示制御方法の発明としても記述することができる。これらの発明はカテゴリが異なるだけで、実質的に同一の発明であるため、同様の作用及び効果を奏する。
【００１４】
即ち、本発明に係る画面表示制御方法は、一面に情報を表示する画面を有した曲げ変形可能なフレキシブルディスプレイと、画面に対するタッチ位置を検出するタッチ検出手段と、フレキシブルディスプレイの他面に予め定められたパターン形状で設けられ、画面に接触した際にタッチ検出手段によりタッチ位置が検出されるタッチ被検出手段と、を備えた携帯端末により実行される画面表示制御方法であって、タッチ検出手段により検出されたパターン形状のタッチ位置に基づいて、フレキシブルディスプレイの一部同士が重なることにより外部から隠れていると推定される画面上の領域を示す隠れ領域を算出する隠れ領域算出ステップと、隠れ領域算出ステップにおいて算出された隠れ領域に基づいてフレキシブルディスプレイの画面表示を制御する表示制御ステップと、を含む。
【発明の効果】
【００１５】
本発明によれば、フレキシブルディスプレイを備えた変形可能な携帯端末において、携帯端末の形状に応じてより適切な画面表示を行うことができる。
【図面の簡単な説明】
【００１６】
【図１】本発明の一実施形態に係る携帯端末の（ａ）正面側、（ｂ）背面側、（ｃ）側面側の外観を示す図である。
【図２】図１に示した携帯端末の機能構成を示すブロック図である。
【図３】図１に示した携帯端末においてフレキシブルディスプレイの一部同士が重なった状態を示す図である。
【図４】隠れ領域の画面表示が非表示とされた状態を示す図である。
【図５】隠れ領域と隠れ領域以外の領域との境界を跨いで連続した画像が表示された状態を示す図である。
【図６】図１に示した携帯端末により実行される処理フローを示すフロー図である。
【発明を実施するための形態】
【００１７】
以下、図面を参照しながら、本発明に係る携帯端末の好適な実施形態について詳細に説明する。
【００１８】
図１は、本発明の一実施形態に係る携帯端末の（ａ）正面側、（ｂ）背面側、（ｃ）側面側の外観を示す図である。図１に示すように、本実施形態に係る携帯端末１０は、互いに同じ厚み幅に形成された薄板状のフレキシブルディスプレイ１１と格納部１０ａとが接続されることにより、正面（一面）側又は背面（他面）側から見て略長方形状となる薄板形状をなしている。より具体的には、フレキシブルディスプレイ１１の長辺方向に対向する面のうち一方の面（他端Ｂ）と格納部１０ａの短辺方向に対向する面のうち一方の面とが突き合わされて面一に接続されている。
【００１９】
フレキシブルディスプレイ１１は、例えば有機ＥＬ素子や液晶素子等の発光材料をプラスチック等のフィルムで挟んだ構造とされている。フレキシブルディスプレイ１１は、正面側から背面側もしくは背面側から正面側に向かう方向に力を加えられることにより、折り曲げられたり、ロール状に巻かれたりといった変形（曲げ変形）が可能な程度の可撓性を有している。
【００２０】
フレキシブルディスプレイ１１は、図１（ａ）に示すように、正面に情報を表示するタッチパネル（画面）１１ａを有している。タッチパネル１１ａは、情報を表示する表示手段として機能するとともに、タッチパネル１１ａに対するユーザの指等のタッチ操作を入力する入力手段としても機能する。タッチパネル１１ａ上におけるタッチ操作がされたタッチ位置は、後述するタッチ検出部１３によって検出可能とされている。
【００２１】
フレキシブルディスプレイ１１の背面（他面）１１ｂには、矩形状の５つのタッチマーカー（タッチ被検出手段）１２が、当該背面１１ｂの一端Ａ側に沿って等間隔に配置されている。すなわち、本実施形態では、５つのタッチマーカー１２が、同一矩形状の領域が等間隔に５つ並んだ形状（パターン形状）で設けられている。このようなパターン形状は、例えば携帯端末１０の設計者等により予め定められたものであり、後述する隠れ領域算出部１５によって、予め記憶される。
【００２２】
タッチマーカー１２は、タッチパネル１１ａに接触した際に、後述するタッチ検出部１３によりタッチ位置が検出される部材である。本実施形態では、タッチパネル１１ａに対する接触を検知する方式として、タッチパネル１１ａ上への誘電体の接触を検知する静電容量方式を採用しており、タッチマーカー１２は、当該方式によりタッチ位置が検出可能なように、例えば薄膜状の誘電素材により形成されているものとする。ただし、タッチマーカー１２の素材はこれに限定されるものでなく、採用する接触検知方式により、タッチ位置が検出可能な素材の中から適宜選択することができる。
【００２３】
フレキシブルディスプレイ１１には、フレキシブルディスプレイ１１の短辺方向に対向する一方の端部Ｃ側に沿って、曲げセンサ１４が内蔵されている。曲げセンサ１４は、フレキシブルディスプレイ１１の曲げ変形の度合いを示す曲げ変形量を検出する変形量検出手段である。例えば、曲げセンサ１４は、曲げ変形によって抵抗値が変化する抵抗を曲げセンサ１４内部に備え、当該抵抗値の変化量を検出することによって曲げ変形量を検出する。ただし、曲げセンサ１４による曲げ変形量の検出方法は上記方法に限定されない。
【００２４】
格納部１０ａは、ＣＰＵ、ＲＡＭ等のハードウェアを格納する部分である。格納部１０ａの厚み幅及び容積等は、格納されるハードウェア部品のサイズ及び配置等に依存する。ただし本実施形態では、上述のとおり、格納部１０ａは、例えば、格納されるハードウェアを極力小型化する等により、フレキシブルディスプレイ１１と同一の厚み幅とされているものとする。また、格納部１０ａは、可撓性のある部材を用いる等により、一定の曲げ変形可能な程度の可撓性を有するものとする。
【００２５】
携帯端末１０は、上述のとおり構成されることで、例えば、背面１１ｂ側から正面（タッチパネル１１ａ）側に対して力を加えられて、タッチパネル１１ａが外側となるようにロール状に巻かれた状態とされることが可能となっている。すなわち、携帯端末１０は、例えば腕等にリストバンドのように巻き付けて使用されることが可能となっている。このような場合に、携帯端末１０を腕に巻き付けた状態で固定する方法は、特に限定されず、例えば磁石等を用いて固定してもよい。
【００２６】
図２は、携帯端末１０の機能構成を示すブロック図である。図２に示すように、携帯端末１０は、上述した機能要素を含め、タッチパネル１１ａを有するフレキシブルディスプレイ１１と、タッチマーカー１２と、タッチ検出部１３と、曲げセンサ１４と、隠れ領域算出部１５と、表示制御部１６とを備えている。
【００２７】
タッチ検出部１３は、タッチパネル１１ａの画面に対するタッチ位置を検出するタッチ検出手段である。上述のとおり、本実施形態では、タッチ検出部１３は、タッチ位置を検出する方式として、静電容量方式を採用している。これにより、タッチ検出部１３は、誘電素材からなるタッチマーカー１２がタッチパネル１１ａに接触した際に、当該接触操作の入力をタッチパネル１１ａから受け付けて、タッチマーカー１２のタッチ位置を検出することができる。
【００２８】
隠れ領域算出部１５は、タッチ検出部１３により検出されたパターン形状のタッチ位置を入力し、入力されたタッチ位置に基づいて隠れ領域を算出する隠れ領域算出手段である。隠れ領域とは、フレキシブルディスプレイ１１の一部同士が重なることにより外部から隠れていると推定されるタッチパネル１１ａ上の領域を示す。上述したとおり、隠れ領域算出部１５は、パターン形状を予め記憶している。
【００２９】
より具体的には、隠れ領域算出部１５は、タッチ検出部１３により検出されたタッチ位置を示す情報を継続的に入力（監視）し、予め記憶しているパターン形状のタッチ位置が、タッチ検出部１３により検出されるか否かを判定する。また、隠れ領域算出部１５は、曲げセンサ１４により検出された曲げ変形量を継続的に入力（監視）し、所定量以上の曲げ変形量が検出されたか否かを判定する。隠れ領域算出部１５は、タッチ検出部１３によってパターン形状のタッチ位置が検出され、且つ、曲げセンサ１４により所定量以上の曲げ変形量が検出されたと判定したら、検出されたパターン形状のタッチ位置に基づいて、隠れ領域とタッチパネル１１ａ上の隠れ領域以外の領域との境界線を算出する。続いて、隠れ領域算出部１５は、タッチパネル１１ａ上の当該境界線から他端Ｂ側の領域を隠れ領域として算出する。
【００３０】
図３を用いて、隠れ領域算出部１５の上記処理について詳細に説明する。図３は、携帯端末１０においてフレキシブルディスプレイ１１の一部同士に重なりが生じている状態を示す図である。図３（ａ）は、このときの状態の携帯端末１０を示す斜視図であり、図３（ｂ）は、このときのタッチパネル１１ａの状態を説明するために作成した仮想的な展開図である。
【００３１】
図３に示す例では、タッチパネル１１ａ上において、タッチパネル１１ａの中央部から他端Ｂ側にやや離れた位置に「あ」という字が表示されている。また、フレキシブルディスプレイ１１が、フレキシブルディスプレイ１１の短辺方向を中心軸方向として、タッチパネル１１ａ側を外側にしてロール状に折り曲げられている。その結果、フレキシブルディスプレイ１１の一部同士に重なりが生じ、「あ」の表示部分の右側半分が外側から隠れている。
【００３２】
このとき、タッチパネル１１ａ上に５つのタッチマーカー１２が接触するため、タッチ検出部１３が、予め定めたパターン形状Ｐを形成する５つの矩形状のタッチ位置Ｔを検出する。また、曲げセンサ１４が、所定量以上の曲げ変形量を検出する。上記の場合において、隠れ領域算出部１５は、タッチ検出部１３及び曲げセンサ１４の検出結果を継続的に入力及び判定することにより、タッチ検出部１３によってパターン形状Ｐのタッチ位置が検出され、且つ、曲げセンサ１４により所定量以上の曲げ変形量が検出されたと判定する。
【００３３】
そして、隠れ領域算出部１５は、例えば、パターン形状Ｐを形成する５つのタッチ位置Ｔそれぞれについて、一端Ａ側にある辺のタッチパネル１１ａ上の位置を取得する。続いて、隠れ領域算出部１５は、取得した５つの辺の位置を結んだ境界線Ｘのタッチパネル１１ａ上の位置を算出する。その後、隠れ領域算出部１５は、境界線Ｘから他端Ｂ側のタッチパネル１１ａ上の領域を隠れ領域Ｓ１として算出する。
【００３４】
表示制御部１６は、以上のように隠れ領域算出部１５により算出された隠れ領域Ｓ１を示す情報を入力し、入力された隠れ領域Ｓ１を示す情報に基づいてタッチパネル１１ａの画面表示を制御する表示制御手段である。図４及び図５を用いて、表示制御部１６による画面表示の制御について説明する。図４（ａ）は、隠れ領域の画面表示が非表示とされた状態の携帯端末１０を示す斜視図であり、図４（ｂ）は、このときのタッチパネル１１ａの状態を説明するために作成した仮想的な展開図である。図５（ａ）は、隠れ領域と隠れ領域以外の領域との境界を跨いで連続した画像が表示された状態の携帯端末１０を示す斜視図であり、図５（ｂ）は、このときのタッチパネル１１ａの状態を説明するために作成した仮想的な展開図である。
【００３５】
表示制御部１６は、例えば図４に示すように、隠れ領域Ｓ１の画面表示を非表示にする。すなわち、表示制御部１６は、隠れ領域Ｓ１上に画面表示を行うための電力供給を停止する制御を行う。
【００３６】
また、表示制御部１６は、例えば図５に示すように、隠れ領域Ｓ１と、タッチパネル１１ａ上の隠れ領域Ｓ１以外の領域Ｓ２との境界線Ｘを跨いで連続した画像（シームレス画像）を表示させる制御を行う。
【００３７】
図５の例では、表示制御部１６は、元々「あ」という字が表示されていた部分のうち隠れ領域Ｓ１上に位置する部分（「あ」の右半分）をタッチパネル１１ａの一端Ａ側に表示させている。すなわち、表示制御部１６は、携帯端末１０がロール状に巻かれた状態において、領域Ｓ２の境界線Ｘ側に表示された部分（「あ」の左半部）と一端Ａ側に表示された部分（「あ」の右半分）とが境界線Ｘ付近の領域Ｒにおいて連続的（シームレス）に表示される（「あ」という表示が形成される）ように画面表示を制御している。このような画面表示の制御は、例えば、表示制御部１６に所定の計算処理方法を予め実装しておくことにより実現できる。例えば上記例においては、隠れ領域Ｓ１上における境界線Ｘから所定範囲内の領域に表示される内容を領域Ｓ２の一端Ａ側に移動させるといった計算処理方法を、表示制御部１６に予め実装しておけばよい。
【００３８】
なお、図３〜図５では、説明のために「あ」という字の表示を例示したが、タッチパネル１１ａ上には、例えば時計表示（時計盤表示）等、様々な情報が表示されることが想定される。例えば、このような時計表示の場合には、一部表示が欠落すると時刻がわからなくなるという問題があるが、上記の表示制御部１６による制御によれば、このような問題を解消できる。
【００３９】
続いて、図６を用いて、上述した携帯端末１０の動作（本発明に係る画面表示制御方法を含む）について説明する。
【００４０】
図６に示すように、まず、ユーザによって折り曲げ等の変形操作がされることにより、携帯端末１０は、例えば、図３（ａ）に示したようにロール状に巻かれた状態とされる（ステップＳ１）。続いて、隠れ領域算出部１５によって、タッチ検出部１３により検出されたタッチ位置を示す情報が継続的に入力され、タッチ検出部１３によりパターン形状Ｐのタッチ位置が検出されたか否かが判定される（ステップＳ２）。また、隠れ領域算出部１５によって、曲げセンサ１４により検出された曲げ変形量が継続的に入力され、曲げセンサ１４により所定量以上の曲げ変形量が検出されたか否かが判定される（ステップＳ３）。
【００４１】
隠れ領域算出部１５によって、タッチ検出部１３がパターン形状Ｐのタッチ位置Ｔを検出し且つ曲げセンサ１４が所定量以上の曲げ変形量を検出したと判定されると（ステップＳ２：ＹＥＳ、ステップＳ３：ＹＥＳ）、パターン形状Ｐのタッチ位置Ｔに基づいて、隠れ領域算出部１５によって隠れ領域Ｓ１が算出される（ステップＳ４：隠れ領域算出ステップ）。
【００４２】
続いて、隠れ領域Ｓ１を示す情報が表示制御部１６に入力されて、表示制御部１６によって、隠れ領域Ｓ１の画面表示のための電力供給が停止され、隠れ領域Ｓ１の画面表示が非表示とされる（ステップＳ５：表示制御ステップ）。また、表示制御部１６によって、隠れ領域Ｓ１と隠れ領域以外の領域Ｓ２との境界線Ｘを跨いで連続した画像が表示される（ステップＳ６：表示制御ステップ）。
【００４３】
以上説明したように、携帯端末１０では、例えば、フレキシブルディスプレイ１１が、タッチパネル１１ａ側を外側にしてロール状に折り曲げられて、フレキシブルディスプレイ１１の一部同士が重なる場合に、フレキシブルディスプレイ１１の背面１１ｂに予め定めたパターン形状Ｐで設けられたタッチマーカー１２が、タッチパネル１１ａ上に接触することにより、タッチ検出部１３が、パターン形状Ｐのタッチ位置Ｔを検出する。そして、隠れ領域算出部１５が、このように検出されたパターン形状Ｐのタッチ位置Ｔに基づいて推定される隠れ領域Ｓ１を算出する。これにより、表示制御部１６が、当該隠れ領域Ｓ１に基づいて、携帯端末１０の形状に応じてより適切な画面表示を行うことができる。
【００４４】
具体的には、フレキシブルディスプレイ１１のタッチパネル１１ａにおいてユーザからは見えない領域である隠れ領域Ｓ１を非表示にすることにより、隠れ領域Ｓ１の画面表示のための無駄な電力供給を停止することができ、省電力化が図られる。また、隠れ領域Ｓ１と隠れ領域Ｓ１以外の領域Ｓ２との境界線Ｘを跨いで連続した画像（シームレスな画像）をタッチパネル１１ａ上に表示させることができる。これにより、フレキシブルディスプレイ１１の一部同士に重なりが生じている場合においても、ユーザに対して適切な画面表示を行うことができ、ユーザ利便性の向上が図られる。
【００４５】
また、携帯端末１０では、タッチマーカー１２をフレキシブルディスプレイ１１の背面１１ｂの一端Ａ側に沿って設けているため、タッチ検出部１３により検出されたパターン形状Ｐのタッチ位置Ｔに基づいて、隠れ領域算出部１５が、隠れ領域Ｓ１と隠れ領域Ｓ１以外の領域Ｓ２との境界線Ｘを算出する。そして、このように算出された境界線Ｘに基づいて、隠れ領域算出部１５によって簡易かつ精度高く隠れ領域Ｓ１を算出できる。
【００４６】
また、例えば、フレキシブルディスプレイ１１の一部同士に重なりが生じていないにも関わらず、ユーザによるタッチパネル１１ａに対するタッチ操作がされた場合に、予め定めたパターン形状Ｐのタッチ位置が、タッチ検出部１３によって偶然検出される場合があり得る。このような場合には、実際には存在しない隠れ領域が隠れ領域算出部１５により算出され、当該隠れ領域に基づいて、表示制御部１６によって適切でない画面表示がされてしまうおそれがある。携帯端末１０では、曲げセンサ１４により所定量以上の曲げ変形量が検出された場合、すなわちフレキシブルディスプレイ１１が一定以上折り曲げられていることが検出された場合に、隠れ領域算出部１５が隠れ領域Ｓ１を算出する。これにより、実際には存在しない隠れ領域が算出され、当該隠れ領域に基づいて適切でない画面表示がされてしまうことを抑制できる。
【００４７】
以上、本発明をその実施形態に基づいて詳細に説明した。しかし、本発明は上記実施形態に限定されるものではない。本発明は、その要旨を逸脱しない範囲で様々な変形が可能である。例えば、隠れ領域算出部１５が誤った隠れ領域を算出することを防止するためには、予め定められるパターン形状は、人の指で押した場合に形成される形状と誤認識が生じにくい形状とされることが好ましい。例えば、タッチマーカー１２を、星形及び十字形等のような特徴のある形状としてもよいし、任意の数のタッチマーカー１２の配列を不均一なパターンとしてもよい。
【００４８】
また、本実施形態に係る携帯端末１０では、曲げセンサ１４を備え、隠れ領域算出部１５が、曲げセンサ１４が所定量以上の曲げ変形量が検出されたと判定した場合に、隠れ領域を算出するものとした。しかし、本発明に係る携帯端末では、曲げセンサ１４を備えず、隠れ領域算出部による上記判定処理が省略された構成とされてもよい。
【符号の説明】
【００４９】
１０…携帯端末、１０ａ…格納部、１１…フレキシブルディスプレイ、１１ａ…タッチパネル（画面）、１１ｂ…背面（他面）、１２…タッチマーカー（タッチ被検出手段）、１３…タッチ検出部、１４…曲げセンサ（変形量検出手段）、１５…隠れ領域算出部、１６…表示制御部、Ａ…一端、Ｂ…他端、Ｃ…端部、Ｐ…パターン形状、Ｔ…タッチ位置、Ｘ…境界線、Ｓ１…隠れ領域、Ｓ２…隠れ領域以外の領域。
【図１】
2014186490.tif 000003
【図２】
2014186490.tif 000004
【図３】
2014186490.tif 000005
【図４】
2014186490.tif 000006
【図５】
2014186490.tif 000007
【図６】
2014186490.tif 000008